(57)【要約】      （修正有）【課題】ユーザのコンテンツの閲覧傾向を把握できるようにする情報提供装置、情報提供方法、及びプログラムを提供する。【解決手段】情報提供装置１００は、ユーザが閲覧したコンテンツの内容に示される位置情報を取得するコンテンツ位置情報取得部１１２。コンテンツを閲覧した際のユーザのユーザ位置を取得するユーザ位置取得部。コンテンツ位置情報取得部１１２によって取得された位置情報と、ユーザ位置取得部によって取得された一以上のユーザの位置とに基づいて、位置情報が示す位置と、ユーザ位置との間の距離を算出するユーザ距離算出部１１５。ユーザ距離算出部１１５によって算出された距離を示す情報をコンテンツに対応付けて提供する提供部１１７と、を備える。【選択図】図２
2020154752.tif 000002
【特許請求の範囲】
【請求項１】
ユーザが閲覧したコンテンツの内容に示される位置情報を取得するコンテンツ位置取得部と、
前記コンテンツを閲覧した際のユーザのユーザ位置を取得するユーザ位置取得部と、
前記コンテンツ位置取得部によって取得された前記位置情報と、前記ユーザ位置取得部によって取得された一以上の前記ユーザの位置とに基づいて、前記位置情報が示す位置と、前記ユーザ位置との間の距離を算出する距離算出部と、
前記距離算出部によって算出された前記距離を示す情報を前記コンテンツに対応付けて提供する提供部と、
を備える情報提供装置。
【請求項２】
前記提供部は、前記位置情報の位置から、前記距離算出部によって算出された前記距離までの範囲を示す画像を示す情報を提供する、
請求項１に記載の情報提供装置。
【請求項３】
前記コンテンツ位置取得部によって取得された前記位置情報と、前記ユーザ位置取得部によって取得された一以上の前記ユーザの位置とに基づいて、前記位置情報が示す位置から前記ユーザ位置の方向を示す情報を導出する方向導出部を更に備え、
前記提供部は、前記方向導出部によって導出された前記方向を示す情報を前記コンテンツに対応付けて提供する、
請求項１、又は請求項２に記載の情報提供装置。
【請求項４】
前記提供部は、前記位置情報の位置から、前記位置情報の位置から、前記方向導出部によって導出された前記方向を示す画像を示す情報を提供する、
請求項３に記載の情報提供装置。
【請求項５】
前記コンテンツを閲覧したユーザを識別可能なユーザ識別情報を取得するユーザ識別情報取得部と、
前記ユーザ識別情報取得部によって取得された前記ユーザ識別情報と、前記ユーザ位置とに基づいて、前記コンテンツを閲覧したユーザの存在する範囲を導出するユーザ範囲導出部をとを更に備え、
前記提供部は、前記ユーザ範囲導出部によって導出された前記範囲を示す情報を前記コンテンツに対応付けて提供する、
請求項１から請求項４のうちいずれか一項に記載の情報提供装置。
【請求項６】
前記提供部は、前記情報を前記コンテンツの提供者に提供する、
請求項１から請求項５のうちいずれか一項に記載の情報提供装置。
【請求項７】
前記提供部は、前記コンテンツを閲覧したユーザの数が、所定の閾値より少ない前記コンテンツについて、前記情報を提供する、
請求項１から請求項６のうちいずれか一項に記載の情報提供装置。
【請求項８】
コンピュータが、
ユーザが閲覧したコンテンツの内容に示される位置情報を取得し、
前記コンテンツを閲覧した際のユーザのユーザ位置を取得し、
取得された前記位置情報と、取得された一以上の前記ユーザの位置とに基づいて、前記位置情報が示す位置と、前記ユーザ位置との間の距離を算出し、
算出された前記距離を示す情報を前記コンテンツに対応付けて提供する、
情報提供方法。
【請求項９】
コンピュータに、
ユーザが閲覧したコンテンツの内容に示される位置情報を取得させ、
前記コンテンツを閲覧した際のユーザのユーザ位置を取得させ、
取得された前記位置情報と、取得された一以上の前記ユーザの位置とに基づいて、前記位置情報が示す位置と、前記ユーザ位置との間の距離を算出させ、
算出された前記距離を示す情報を前記コンテンツに対応付けて提供させる、
プログラム。
【発明の詳細な説明】
【技術分野】
【０００１】
本発明は、情報提供装置、情報提供方法、及びプログラムに関する。
【背景技術】
【０００２】
従来、温度センサ、光センサ、音声センサ等により取得された情報や、地理的位置情報に基づいて、設置場所との相関性のあるテーマの広告が、携帯電話等の持ち運び可能な端末に配信される方法が知られている（特許文献１参照）。
【先行技術文献】
【特許文献】
【０００３】
【特許文献１】特開２０１３−３７６９９号公報
【発明の概要】
【発明が解決しようとする課題】
【０００４】
ここで、ユーザの記事等のコンテンツの閲覧傾向が把握できればよりユーザのニーズに即したコンテンツを提供することができる場合がある。しかしながら、従来の技術では、ユーザの地理的位置に基づいて、親和性のある広告を配信することができても、ユーザのコンテンツの閲覧傾向を把握することはできない場合があった。
【０００５】
本発明は、上記の課題に鑑みてなされたものであり、ユーザのコンテンツの閲覧傾向を把握できるようにする情報提供装置、情報提供方法、及びプログラムを提供することを目的としている。
【課題を解決するための手段】
【０００６】
本発明の一態様は、ユーザが閲覧したコンテンツの内容に示される位置情報を取得するコンテンツ位置取得部と、前記コンテンツを閲覧した際のユーザのユーザ位置を取得するユーザ位置取得部と、前記コンテンツ位置取得部によって取得された前記位置情報と、前記ユーザ位置取得部によって取得された一以上の前記ユーザの位置とに基づいて、前記位置情報が示す位置と、前記ユーザ位置との間の距離を算出する距離算出部と、前記距離算出部によって算出された前記距離を示す情報を前記コンテンツに対応付けて提供する提供部と、を備える情報提供装置である。
【発明の効果】
【０００７】
本発明の一態様によれば、ユーザのコンテンツの閲覧傾向を把握できるようにすることができる。
【図面の簡単な説明】
【０００８】
【図１】第１実施形態に係る情報提供装置１００を用いた情報提供システム１の構成の一例を示す図である。
【図２】第１実施形態に係る情報提供装置１００の構成の一例を示す図である。
【図３】第１実施形態に係るセッション情報ＳＣ１の内容の一例を示す図である。
【図４】コンテンツを提供するウェブページの一例を示す図である。
【図５】第１実施形態に係るコンテンツ位置情報１２２の内容の一例を示す。
【図６】コンテンツ集約情報１２４の内容の一例を示す図である。
【図７】第１実施形態におけるコンテンツと、ユーザ距離とを対応付けた情報の一例を示す図である。
【図８】提供情報生成部１１６が生成したコンテンツと、ユーザ方向とを対応付けた情報の一例を示す図である。
【図９】第１実施形態に係る情報提供装置１００の一連の動作の一例を示すフローチャートである。
【図１０】距離方向画像ＩＭ１４の一例を示す図である。
【図１１】第２実施形態に係る情報提供装置１００ａの構成の一例を示す図である。
【図１２】第２実施形態に係るセッション情報ＳＣ２の内容の一例を示す図である。
【図１３】第２実施形態に係るコンテンツ位置情報１２２ａの内容の一例を示す。
【図１４】コンテンツ集約情報１２４ａの内容の一例を示す図である。
【図１５】ユーザ範囲情報１２６の内容の一例を示す図である。
【図１６】第２実施形態におけるコンテンツと、ユーザ範囲ＵＡＲとを対応付けた情報の一例を示す図である。
【図１７】第２実施形態に係る情報提供装置１００ａの一連の動作の一例を示すフローチャートである。
【発明を実施するための形態】
【０００９】
以下、本発明を適用した情報提供装置、情報提供方法、及びプログラムを、図面を参照して説明する。
【００１０】
＜第１実施形態＞
［全体構成］
図１は、第１実施形態に係る情報提供装置１００を用いた情報提供システム１の構成の一例を示す図である。情報提供システム１は、例えば、情報提供装置１００と、一以上のコンテンツプロバイダ端末装置２００と、コンテンツ提供サーバ３００と、一以上のユーザ端末装置４００と、情報収集装置５００とを備える。これらの構成は、ネットワークＮＷによって互いに接続されており、このネットワークＮＷを介して互いに通信する。ネットワークＮＷは、例えば、ＷＡＮ（Wide Area Network）やＬＡＮ（Local Area Network）、インターネット、専用回線、無線基地局、プロバイダなどのうちの一部または全部を含む。
【００１１】
コンテンツプロバイダ端末装置２００は、例えば、ユーザが閲覧や利用するコンテンツの提供者（以下、コンテンツ提供者）が用いる端末装置である。コンテンツ提供者は、作成したコンテンツを、ネットワークＮＷを介してコンテンツ提供サーバ３００に提供する（図中［１］）。コンテンツ提供者が作成するコンテンツとは、例えば、ウェブページを介してユーザに提供されるウエブコンテンツ（例えば、記事、動画、小説、音楽、ゲーム等）である。以降の説明において、コンテンツ提供者が提供するコンテンツが、記事である場合について説明する。また、以降の説明において、コンテンツ提供者が、コンテンツプロバイダ端末装置２００からネットワークＮＷを介してよってコンテンツ提供サーバ３００にコンテンツを提供することを「入稿する」とも記載する。
【００１２】
コンテンツ提供サーバ３００は、例えば、コンテンツを提供するサービスを行うサービス提供者が所有するサーバであり、ウェブページ等を実現することにより、コンテンツをユーザに提供するサーバ装置である。コンテンツ提供サーバ３００には、コンテンツＤＢ（Data Base）６００が接続されており、コンテンツプロバイダ端末装置２００から提供されたコンテンツを記憶する。
【００１３】
ユーザ端末装置４００は、例えば、ユーザが所持する端末装置であり、例えば、スマートフォンなどの携帯電話やタブレット端末、ノート型あるいはデスクトップ型のパーソナルコンピュータ、ＰＤＡ（Personal Digital Assistant）などの、少なくとも通信機能と表示機能を有する端末装置である。ユーザは、ユーザ端末装置４００によってネットワークＮＷを介してコンテンツ提供サーバ３００によって実現されるウェブページ等にアクセスすることにより、コンテンツを閲覧する（図中［２］）。
【００１４】
情報収集装置５００は、例えば、コンテンツ提供サーバ３００と、ユーザ端末装置４００との間の通信に係る情報を収集する装置である。情報収集装置５００は、例えば、コンテンツ提供サーバ３００と、ユーザ端末装置４００との間でセッションが確立した場合、ユーザ端末装置４００がアクセスしたコンテンツの識別情報（例えば、コンテンツを公開（提供）しているウェブページのＵＲＬ：Uniform Resource Locator））と、ユーザ端末装置４００の位置情報（以下、ユーザ位置情報）とを対応付けたセッション情報ＳＣ１を情報提供装置１００に供給する（図中［３］）。セッション情報ＳＣ１に含まれるユーザ位置情報は、ユーザがユーザ端末装置４００によってコンテンツにアクセスした際（タイミング）のユーザの位置を示す情報である。
【００１５】
情報収集装置５００は、例えば、ユーザ端末装置４００が送信するデータに基づいて、ユーザ端末装置４００がアクセスしたコンテンツの識別情報（ＵＲＬ）を取得し、ユーザ端末装置４００のＩＰ（Internet Protocol）アドレス等に基づいて、ユーザ端末装置４００の位置を特定する。情報収集装置５００は、例えば、セッションが確立する度に情報提供装置１００にセッション情報ＳＣ１を供給してもよく、所定の時間内に確立したセッションに係るセッション情報ＳＣ１を所定の時間間隔毎に情報提供装置１００に供給してもよい。
【００１６】
情報提供装置１００は、情報収集装置５００から取得したセッション情報ＳＣ１に基づいて、ユーザの位置と、ユーザの記事の閲覧傾向を把握できるような情報をコンテンツプロバイダ端末装置２００やコンテンツ提供サーバ３００に供給する（図中［４］）。これにより、コンテンツ提供者やサービス提供者がよりユーザのニーズに即したコンテンツの提供を支援する。
【００１７】
［情報提供装置１００の構成］
図２は、第１実施形態に係る情報提供装置１００の構成の一例を示す図である。情報提供装置１００は、制御部１１０と、記憶部１２０とを備える。制御部１１０は、例えば、ＣＰＵ（Central Processing Unit）などのプロセッサが記憶部１２０に記憶されるプログラム（ソフトウェア）を実行することにより、取得部１１１と、コンテンツ位置情報取得部１１２と、コンテンツ情報集約部１１３と、ユーザ距離算出部１１４と、ユーザ方向導出部１１５と、提供情報生成部１１６と、提供部１１７との各機能部を実現する。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。
【００１８】
記憶部１２０は、ＨＤＤ（Hard Disk Drive）やフラッシュメモリなどの記憶装置（非一過性の記憶媒体を備える記憶装置）により実現されてもよく、ＤＶＤやＣＤ−ＲＯＭなどの着脱可能な記憶媒体（非一過性の記憶媒体）により実現されてもよく、ドライブ装置に装着される記憶媒体であってもよい。また、記憶部１２０の一部又は全部は、ＮＡＳや外部のストレージサーバ等、情報提供装置１００がアクセス可能な外部装置であってもよい。記憶部１２０には、例えば、プログラムの他、コンテンツ位置情報１２２、及びコンテンツ集約情報１２４等の情報が記憶される。
【００１９】
取得部１１１は、情報収集装置５００からネットワークＮＷを介してセッション情報ＳＣ１を取得する。図３は、第１実施形態に係るセッション情報ＳＣ１の内容の一例を示す図である。上述したように、セッション情報ＳＣ１は、ユーザ端末装置４００がアクセスしたコンテンツの識別情報（ＵＲＬ）と、ユーザ位置情報とが互いに対応付けられる。ユーザ位置情報は、例えば、「コンテンツを閲覧したユーザ位置」の一例である。以下、ユーザ位置情報が緯度、及び経度の座標によって示されるものとする。
【００２０】
コンテンツ位置情報取得部１１２は、セッション情報ＳＣ１に含まれるコンテンツの識別情報によって識別されるコンテンツ（つまり、ユーザに閲覧されたコンテンツ）の内容に示される位置に係る情報（以下、コンテンツ位置情報）を取得する。図４は、コンテンツを提供するウェブページの一例を示す図である。ユーザがユーザ端末装置４００のウェブブラウザ機能によってコンテンツ提供サーバ３００にアクセスすることにより、ユーザ端末装置４００の表示画面には、図４に示すコンテンツ提供画像ＩＭｗが表示される。コンテンツ提供画像ＩＭｗには、例えば、コンテンツのタイトルを示すテキスト（図示するテキストＴＸ１０）、コンテンツの詳細を示すテキスト（図示するテキストＴＸ１２）、コンテンツを示すコンテンツ画像ＩＭｐ、コンテンツに付されるタグを示すテキスト（図示するタグＴＧ１０〜ＴＧ１６）等が含まれる。コンテンツ位置情報取得部１１２は、例えば、これらの情報に基づいて、コンテンツの内容に示されるコンテンツ位置情報を取得する。
【００２１】
コンテンツ位置情報取得部１１２は、例えば、コンテンツに付されるタグが地名を表す固有名詞である場合（例えば、タグＴＧ１０が示す「名古屋」等）、当該地名をコンテンツ位置情報として取得する。また、コンテンツ位置情報取得部１１２は、例えば、コンテンツに付されるタグが店名を表す固有名詞である場合（例えば、タグＴＧ１２が示す「喫茶△△」、タグＴＧ１４が示す「ひつまぶし〇〇屋」、ＴＧ１６が示す「味噌カツレストラン□□」等）、当該店名と、店名の位置情報とが対応付けられたデータベース（不図示）を参照し、タグＴＧが示すお店が存在する位置をコンテンツ位置情報として取得する。
【００２２】
なお、タグＴＧは、コンテンツ提供画像ＩＭｗにテキストとしてユーザに視認可能に示されていてもよく、コンテンツ提供者がコンテンツを提供する際の必要事項として用いられ、コンテンツ提供画像ＩＭｗにテキストとして示されないものであってもよい。また、店舗は、コンテンツ提供者やサービス提供者の間で一意に特定可能なグローバル識別詞（以下、ＧＩＤ（Global identification））によって識別されてもよい。この場合、コンテンツ提供者は、コンテンツの内容に示される店舗のＧＩＤをコンテンツに付して入稿し、コンテンツ位置情報取得部１１２は、コンテンツに付されたＧＩＤを検索キーとして、ＧＩＤと、ＧＩＤによって識別される店舗に係る情報（店舗の位置情報を含む）とが対応付けられたレコードを蓄積する店舗データベースを検索し、ＧＩＤによって識別される店舗の位置情報を特定し、コンテンツ位置情報として取得する。
【００２３】
また、コンテンツ位置情報取得部１１２は、例えば、テキストＴＸ１０やテキストＴＸ１２に対して、形態素解析を行って、単語に分割し、Ｗ２Ｖ（Word2Vec）などの手法を用いて、固有名詞を抽出する。コンテンツ位置情報取得部１１２は、抽出した固有名詞のうち、地名を表す固有名詞（テキストＴＸ１０の場合、「名古屋」）を特定し、コンテンツ位置情報として取得する。なお、コンテンツ位置情報取得部１１２は、固有名詞の抽出に他のウェブクローリング（Web Crawling）技術を用いてもよい。
【００２４】
また、コンテンツ位置情報取得部１１２は、例えば、コンテンツ画像ＩＭｐを画像解析し、コンテンツ画像ＩＭｐに示される被写体を認識する。コンテンツ位置情報取得部１１２は、例えば、場所（土地）に関係する特徴的な被写体（例えば、広く一般に知られたもの（ランドマーク、風景、土地の名物、名産品、伝統工芸品等））が撮像された画像を入力すると、被写体が関係する場所（土地）の固有名詞を出力するように学習された学習モデルを用いて、コンテンツの位置情報を取得する。
【００２５】
コンテンツ位置情報取得部１１２は、取得部１１１によって取得されたセッション情報ＳＣ１に基づいて、セッション情報ＳＣ１に含まれるコンテンツ識別情報によって示されるコンテンツに対して、上述した処理のうち少なくともいずれか一つの処理を実行し、コンテンツの位置情報を取得する。コンテンツ位置情報取得部１１２は、取得部１１１によって取得されたセッション情報ＳＣ１と、取得したコンテンツ位置情報とを対応付けて、コンテンツ位置情報１２２を生成（更新）し、記憶部１２０に記憶させる。
【００２６】
図５は、第１実施形態に係るコンテンツ位置情報１２２の内容の一例を示す。上述したように、コンテンツ位置情報１２２には、セッション情報ＳＣ１に含まれるコンテンツ識別情報と、コンテンツ位置情報と、ユーザ位置情報とが互いに対応付けられたレコードが一以上含まれる。以下、コンテンツ位置情報取得部１１２は、コンテンツ位置情報として取得した場所の固有名詞に基づいて、場所の緯度、及び経度の座標を取得し、取得した座標をコンテンツ位置情報として取得するものとする。
【００２７】
なお、コンテンツ位置情報取得部１１２は、それぞれの処理によってコンテンツの位置情報として異なる複数の位置が取得された場合、取得された位置のうち、最頻の位置をコンテンツの位置として特定してもよい。
【００２８】
コンテンツ情報集約部１１３は、コンテンツ位置情報取得部１１２によって生成（更新）されたコンテンツ位置情報１２２に基づいて、コンテンツ位置情報と、ユーザ位置情報とをコンテンツ識別情報毎に対応付けたコンテンツ集約情報１２４を生成する。図６は、コンテンツ集約情報１２４の内容の一例を示す図である。図６において、コンテンツ集約情報１２４は、例えば、コンテンツ識別情報と、コンテンツ位置情報と、コンテンツ識別情報によって識別されるコンテンツを閲覧した一以上のユーザのユーザ位置情報とがコンテンツ毎に互いに対応付けられる情報である。
【００２９】
コンテンツ情報集約部１１３は、例えば、コンテンツ位置情報１２２に含まれるコンテンツ識別情報に対して、コンテンツ識別情報に対応付けられているコンテンツ位置情報と、ユーザ位置情報とを抽出する処理をそれぞれ実行する。コンテンツ集約情報１２４は、コンテンツ識別情報に、抽出されたコンテンツ位置情報と、一以上のユーザ位置情報とを対応付けて、コンテンツ集約情報１２４を生成（更新）する処理をコンテンツ毎に行う。なお、コンテンツ情報集約部１１３は、コンテンツ位置情報として異なる複数の位置が抽出された場合、取得された位置のうち、最頻の位置をコンテンツの位置として特定してもよい。
【００３０】
ユーザ距離算出部１１４は、例えば、コンテンツ情報集約部１１３によって生成されたコンテンツ集約情報１２４に基づいて、コンテンツ位置情報と、ユーザ位置情報との間の距離（以下、ユーザ距離）を、コンテンツ毎に算出する。また、ユーザ距離算出部１１４は、ユーザ距離の算出対象のコンテンツに一以上のユーザ位置情報が対応付けられている場合、コンテンツ位置情報とユーザ位置情報との間の距離をそれぞれ算出し、算出した距離の統計値（例えば、平均値、最頻値、中央値、最大値、最小値等）を、ユーザ距離として算出する。
【００３１】
ユーザ方向導出部１１５は、コンテンツ情報集約部１１３によって生成されたコンテンツ集約情報１２４に基づいて、コンテンツ位置情報からユーザ位置情報の方向（以下、ユーザ方向）を、コンテンツ毎に導出する。以下、ユーザ方向は、例えば、コンテンツ位置情報の位置を原点とし、北を０度、東を９０度、南を１８０度、西を２７０度として表現する３６０度式の値によって示されるものとする。ユーザ距離算出部１１４は、ユーザ方向の導出対象のコンテンツに一以上のユーザ位置情報が対応付けられている場合、コンテンツ位置情報からユーザ位置情報の方向をそれぞれ導出し、導出した方向の統計値を、ユーザ方向として導出する。
【００３２】
提供情報生成部１１６は、ユーザ距離算出部１１４によって算出されたユーザ距離に基づいて、当該ユーザ距離の元データであるコンテンツと、ユーザ距離とを対応付けた情報を生成する。図７は、第１実施形態におけるコンテンツと、ユーザ距離とを対応付けた情報の一例を示す図である。提供情報生成部１１６は、例えば、コンテンツと、ユーザ距離とを対応付けた情報として、距離画像ＩＭ１０を生成する。提供情報生成部１１６は、例えば、コンテンツ位置情報の位置を含み、且つユーザ距離以上の範囲が含まれる地図画像ＩＭｍｐ１に、コンテンツ位置情報の位置を示すコンテンツ位置画像ＩＭｃｔと、コンテンツ位置情報の位置を中心とし、ユーザ距離を半径とする円によって示される範囲画像ＩＭａｒとを、地図画像ＩＭｍｐ１が示す地図の対応する位置に重畳した画像を距離画像ＩＭ１０として生成する。
【００３３】
なお、距離画像ＩＭ１０には、例えば、ユーザ距離の算出処理の元データであるコンテンツに示される情報（例えば、コンテンツのタイトルを示すテキスト（テキストＴＸ１０））や、コンテンツ識別情報等を示す説明画像ＩＭｅｘが含まれていてもよい。
【００３４】
また、提供情報生成部１１６は、ユーザ方向導出部１１５によって導出されたユーザ方向に基づいて、当該ユーザ方向の元データであるコンテンツと、ユーザ方向とを対応付けた情報を生成する。図８は、提供情報生成部１１６が生成したコンテンツと、ユーザ方向とを対応付けた情報の一例を示す図である。提供情報生成部１１６は、例えば、コンテンツと、ユーザ方向とを対応付けた情報として、方向画像ＩＭ１２を生成する。提供情報生成部１１６は、例えば、コンテンツ位置情報の位置を含み、且つユーザ位置情報の位置が含まれる地図画像ＩＭｍｐ２に、コンテンツ位置画像ＩＭｃｔと、コンテンツ位置情報の位置とユーザ位置情報の位置とを結んだ一以上の結線画像ＩＭｃｄと、コンテンツ位置情報の位置からユーザ方向を示す矢印画像ＩＭｒｒとを、地図画像ＩＭｍｐ２が示す地図の対応する位置に重畳した画像を方向画像ＩＭ１２として生成する。
【００３５】
なお、方向画像ＩＭ１２には、例えば、説明画像ＩＭｅｘが含まれていてもよい。また、結線画像ＩＭｃｄは、コンテンツに対応付けられたすべてのユーザ位置情報をそれぞれ示すものであってもよく、ユーザ位置情報の一部を示すものであってもよい。例えば、提供情報生成部１１６は、コンテンツに対応付けられたすべてのユーザ位置情報のうち、ユーザ方向に存在するユーザ位置情報のみを示す結線画像ＩＭｃｄを方向画像ＩＭ１２に示してもよい。
【００３６】
提供部１１７は、例えば、提供情報生成部１１６によって生成された情報（この一例では、距離画像ＩＭ１０、及び方向画像ＩＭ１２）を、コンテンツ提供者と、サービス提供者とのうち少なくとも一方に提供する。提供部１１７は、例えば、距離画像ＩＭ１０や、方向画像ＩＭ１２をコンテンツプロバイダ端末装置２００やコンテンツ提供サーバ３００にネットワークＮＷを介して送信する。
【００３７】
［動作フロー］
図９は、第１実施形態に係る情報提供装置１００の一連の動作の一例を示すフローチャートである。まず、取得部１１１は、情報収集装置５００からセッション情報ＳＣ１を取得する（Ｓ１００）。次に、コンテンツ位置情報取得部１１２は、取得部１１１によって取得されたセッション情報ＳＣ１に基づいて、セッション情報ＳＣ１に含まれるコンテンツ識別情報によって示されるコンテンツの位置情報を取得し、コンテンツ位置情報１２２を生成する（Ｓ１０２）。コンテンツ情報集約部１１３は、コンテンツ位置情報取得部１１２によって生成されたコンテンツ位置情報１２２に基づいて、コンテンツ識別情報と、コンテンツ位置情報と、ユーザ位置情報とをコンテンツ毎に対応付けたコンテンツ集約情報１２４を生成する（Ｓ１０４）。ユーザ距離算出部１１４、ユーザ方向導出部１１５、及び提供情報生成部１１６は、コンテンツ集約情報１２４に含まれるすべてのコンテンツに対して後述するステップＳ１０６〜Ｓ１１２の処理が実行されるまでの間、処理を繰り返す。
【００３８】
ユーザ距離算出部１１４は、コンテンツ情報集約部１１３によって生成されたコンテンツ集約情報１２４に基づいて、処理対象のコンテンツについて、ユーザ距離を算出する（Ｓ１０６）。次に、ユーザ方向導出部１１５は、コンテンツ情報集約部１１３によって生成されたコンテンツ集約情報１２４に基づいて、処理対象のコンテンツについて、ユーザ方向を導出する（Ｓ１０８）。次に、提供情報生成部１１６は、ユーザ距離算出部１１４によって算出されたユーザ距離に基づいて、距離画像ＩＭ１０を生成する（Ｓ１１０）。次に、提供情報生成部１１６は、ユーザ方向導出部１１５によって導出されたユーザ方向に基づいて、方向画像ＩＭ１２を生成する（Ｓ１１２）。提供部１１７は、提供情報生成部１１６によって生成された距離画像ＩＭ１０や方向画像ＩＭ１２をコンテンツ提供者やサービス提供者に提供する（Ｓ１１４）。
【００３９】
なお、上述では、コンテンツ集約情報１２４に含まれるコンテンツについて、ユーザ距離算出部１１４、及びユーザ方向導出部１１５の両方が処理を実行する場合について説明したが、これに限られない。例えば、コンテンツ集約情報１２４に含まれるコンテンツについて、ユーザ距離算出部１１４と、ユーザ方向導出部１１５とのうち、一方が処理を実行してもよい。この場合、情報提供装置１００は、処理を実行しない機能部（ユーザ距離算出部１１４、又はユーザ方向導出部１１５）を備えていなくてもよい。
【００４０】
［第１実施形態のまとめ］
以上説明したように、本実施形態の情報提供装置１００によれば、距離画像ＩＭ１０をコンテンツ提供者やサービス提供者に提供することができる。コンテンツ提供者は、これから作成するコンテンツの内容が示す位置に係る距離画像ＩＭ１０を参照することにより、閲覧者（ユーザ）の位置までの距離の傾向を把握することができ、距離画像ＩＭ１０をコンテンツ作成の指針として用いることができる。サービス提供者は、コンテンツ提供者によって入稿されたコンテンツの内容が示す位置に係る距離画像ＩＭ１０を参照することにより、閲覧者の位置までの距離の傾向を把握することができ、距離画像ＩＭ１０をコンテンツの公開範囲の指針として用いることができる。また、サービス提供者は、ユーザに閲覧されたコンテンツのコンテンツ位置情報に係る距離画像ＩＭ１０に基づいて、距離画像ＩＭ１０の範囲画像ＩＭａｒが示す範囲内にコンテンツ位置情報が存在する他のコンテンツであり、先のコンテンツを閲覧した閲覧者にも閲覧される可能性が高いコンテンツをレコメンドすることができる。
【００４１】
また、本実施形態の情報提供装置１００によれば、方向画像ＩＭ１２をコンテンツ提供者やサービス提供者に提供することができる。コンテンツ提供者は、これから作成するコンテンツの内容が示す位置に係る方向画像ＩＭ１２を参照することにより、閲覧者（ユーザ）の方向の傾向を把握することができ、方向画像ＩＭ１２をコンテンツ作成の指針として用いることができる。また、サービス提供者は、コンテンツ提供者によって入稿されたコンテンツの内容が示す位置に係る方向画像ＩＭ１２を参照することにより、閲覧者の方向の傾向を把握することができ、方向画像ＩＭ１２をコンテンツの公開方向の指針として用いることができる。また、サービス提供者は、ユーザに閲覧されたコンテンツのコンテンツ位置情報に係る方向画像ＩＭ１２に基づいて、方向画像ＩＭ１２の矢印画像ＩＭｒｒが示す方向にコンテンツ位置情報が存在する他のコンテンツであり、先のコンテンツを閲覧した閲覧者にも閲覧される可能性が高いコンテンツをレコメンドすることができる。
【００４２】
したがって、本実施形態の情報提供装置１００によれば、距離画像ＩＭ１０や方向画像ＩＭ１２によってユーザのコンテンツの閲覧傾向を把握できるようにし、コンテンツ提供者やサービス提供者が、よりコンテンツをユーザに閲覧してもらいやすいようにすることができる。
【００４３】
［距離画像ＩＭ１０、及び方向画像ＩＭ１２の生成条件について］
なお、上述では、提供情報生成部１１６が、コンテンツ集約情報１２４に含まれるすべてのコンテンツに対して距離画像ＩＭ１０、及び方向画像ＩＭ１２を生成する場合について説明したが、これに限られない。提供情報生成部１１６は、例えば、コンテンツ位置情報１２２に基づいて、コンテンツ識別情報に対応付けられているユーザ位置情報の数が所定の閾値より少ないコンテンツについて、距離画像ＩＭ１０、及び方向画像ＩＭ１２を生成する処理を実行してもよい。これにより、本実施形態の情報提供装置１００は、閲覧数が少ないコンテンツについて、コンテンツの閲覧傾向を把握できるようにし、閲覧数を増やすようにすることができる。
【００４４】
［情報の提供形態について］
また、上述では、ユーザ距離を示す情報として、提供情報生成部１１６が距離画像ＩＭ１０を生成し、提供部１１７が距離画像ＩＭ１０を提供する場合について説明したが、これに限られない。提供情報生成部１１６は、例えば、コンテンツ位置情報の位置からユーザ距離までの範囲に存在する位置を示す情報（例えば、市区町村を示す情報）を生成してもよい。また、上述では、ユーザ方向を示す情報として、提供情報生成部１１６が方向画像ＩＭ１２を生成し、提供部１１７が方向画像ＩＭ１２を提供する場合について説明したが、これに限られない。提供情報生成部１１６は、例えば、コンテンツ位置情報の位置からユーザ方向に所定の距離までの範囲に存在する位置を示す情報（例えば、市区町村を示す情報）を生成してもよい。
【００４５】
［ユーザ距離とユーザ方向とを合わせた距離方向画像ＩＭ１４について］
なお、上述では、提供情報生成部１１６が、ユーザ距離に基づく距離画像ＩＭ１０と、ユーザ方向とに基づく方向画像ＩＭ１２とをそれぞれ生成する場合について説明したが、これに限られない。提供情報生成部１１６は、ユーザ距離と、ユーザ方向とに基づいて、距離方向画像ＩＭ１４を生成してもよい。図１０は、距離方向画像ＩＭ１４の一例を示す図である。提供情報生成部１１６は、例えば、コンテンツと、ユーザ距離と、ユーザ方向とを対応付けた情報として、距離方向画像ＩＭ１４を生成する。提供情報生成部１１６は、例えば、コンテンツ位置情報の位置を含み、且つユーザ位置情報の位置が含まれる地図画像ＩＭｍｐ２に、コンテンツ位置画像ＩＭｃｔと、コンテンツ位置情報の位置からユーザ方向に、ユーザ距離までの所定の範囲を示す所定範囲画像ＩＭａｒｐとを、地図画像ＩＭｍｐ２が示す地図の対応する位置に重畳した画像を距離方向画像ＩＭ１４として生成する。
【００４６】
これにより、本実施形態の情報提供装置１００によれば、距離方向画像ＩＭ１４を提供することにより、閲覧者の位置までの距離の傾向、及び閲覧者の方向の傾向をコンテンツ提供者やサービス提供者に提示することができる。
【００４７】
＜第２実施形態＞
以下、図面を参照し、第２実施形態に係る情報提供装置１００ａについて説明する。第１実施形態では、コンテンツ位置情報の位置からユーザ位置情報の位置までの距離、或いは方向を示す情報とコンテンツとを対応付けた情報（例えば、距離画像ＩＭ１０や方向画像ＩＭ１２）を、コンテンツ提供者やサービス提供者に提供する場合について説明した。第２実施形態では、ユーザ位置情報をより詳細に特定し、コンテンツ位置情報の位置から特定されたユーザ位置情報の位置までの距離、或いは方向を示す情報とコンテンツとを対応付けた情報を、コンテンツ提供者やサービス提供者に提供する場合について説明する。なお、上述した実施形態と同様の構成については、同一の符号を付して説明を省略する。
【００４８】
図１１は、第２実施形態に係る情報提供装置１００ａの構成の一例を示す図である。情報提供装置１００ａは、制御部１１０ａと、記憶部１２０ａとを備える。制御部１１０ａは、例えば、ＣＰＵなどのプロセッサが記憶部１２０ａに記憶されるプログラム（ソフトウェア）を実行することにより、制御部１１０が実現する機能部に加えて、ユーザ範囲導出部１１８をその機能部として実現する。また、これらの構成要素のうち一部または全部は、ＬＳＩやＡＳＩＣ、ＦＰＧＡ、ＧＰＵ等のハードウェア（回路部；circuitryを含む）によって実現されてもよいし、ソフトウェアとハードウェアの協働によって実現されてもよい。
【００４９】
記憶部１２０ａは、ＨＤＤやフラッシュメモリなどの記憶装置（非一過性の記憶媒体を備える記憶装置）により実現されてもよく、ＤＶＤやＣＤ−ＲＯＭなどの着脱可能な記憶媒体（非一過性の記憶媒体）により実現されてもよく、ドライブ装置に装着される記憶媒体であってもよい。また、記憶部１２０ａの一部又は全部は、ＮＡＳや外部のストレージサーバ等、情報提供装置１００がアクセス可能な外部装置であってもよい。記憶部１２０ａには、例えば、プログラムの他、コンテンツ位置情報１２２ａ、コンテンツ集約情報１２４ａ、及びユーザ範囲情報１２６等の情報が記憶される。コンテンツ位置情報１２２ａ、コンテンツ集約情報１２４ａ、及びユーザ範囲情報１２６の詳細については、後述する。
【００５０】
本実施形態の情報収集装置５００は、セッション情報ＳＣ１に代えて、セッション情報ＳＣ２を、ネットワークＮＷを介して情報提供装置１００ａに供給する。図１２は、第２実施形態に係るセッション情報ＳＣ２の内容の一例を示す図である。セッション情報ＳＣ２は、セッション情報ＳＣ１に含まれる情報（つまり、コンテンツ識別情報、及びユーザ位置情報）に加えて、コンテンツを閲覧したユーザを識別可能な情報（以下、ユーザ位置情報）が更に対応付けられる。情報収集装置５００は、例えば、ユーザが、コンテンツを提供するサービスを利用する際に用いられる識別情報（例えば、ログインＩＤ）を、ユーザ識別情報として取得する。
【００５１】
なお、上述したログインＩＤは、ユーザ識別情報の一例であって、これに限られない。ユーザ識別情報は、ログインＩＤに代えて、他の情報であってもよい。ユーザ識別情報は、例えば、ユーザ端末装置４００のＭＡＣアドレス（Media Access Control address）であってもよい。
【００５２】
本実施形態の取得部１１１は、コンテンツ提供サーバ３００と、ユーザ端末装置４００とのセッションが確立した後、コンテンツを閲覧したユーザのユーザ位置情報が変化する度に（或いは、所定の時間間隔毎に）セッション情報ＳＣ２を情報収集装置５００から取得する。情報収集装置５００は、例えば、コンテンツ提供サーバ３００と、ユーザ端末装置４００とのセッションが確立した後、ユーザ端末装置４００によるユーザのコンテンツの閲覧が終了した後も、当該ユーザのユーザ位置情報を所定の時間間隔によって所定の期間（例えば、数時間〜数日間）だけ取得する。
【００５３】
コンテンツ位置情報取得部１１２は、第１実施形態の処理と同様に、取得部１１１によって取得されたセッション情報ＳＣ２に基づいて、セッション情報ＳＣ２に含まれるコンテンツ識別情報によって示されるコンテンツの位置情報を取得する。また、本実施形態のコンテンツ位置情報取得部１１２は、取得したコンテンツ位置情報と、取得部１１１によって取得されたセッション情報ＳＣ２とを対応付けて、コンテンツ位置情報１２２ａを生成（更新）し、記憶部１２０ａに記憶させる。
【００５４】
図１３は、第２実施形態に係るコンテンツ位置情報１２２ａの内容の一例を示す。上述したように、コンテンツ位置情報１２２には、セッション情報ＳＣ２に含まれるコンテンツ識別情報と、コンテンツ位置情報と、ユーザ識別情報と、ユーザ位置情報と、が互いに対応付けられたレコードが一以上含まれる。
【００５５】
なお、取得部１１１は、ユーザ位置情報をセッション情報ＳＣ２以外の方法によって取得してもよい。例えば、情報提供装置１００ａには、ネットワークＮＷを介してユーザ端末装置４００の位置を取得する機能を有した他の装置が接続され、情報提供装置１００ａは、セッション情報ＳＣ２に含まれるユーザ識別情報を当該他の装置に送信する。当該他の装置は、情報提供装置１００ａから受信したユーザ識別情報に係るユーザ端末装置４００の位置（つまり、ユーザの位置）を情報提供装置１００ａに所定の時間間隔によって所定の期間供給する。また、当該他の装置の機能を情報収集装置５００が有していてもよい。
【００５６】
本実施形態のコンテンツ情報集約部１１３は、コンテンツ位置情報取得部１１２によって生成（更新）されたコンテンツ位置情報１２２ａに基づいて、コンテンツ位置情報と、ユーザ識別情報毎のユーザ位置情報とをコンテンツ識別情報毎に対応付けたコンテンツ集約情報１２４ａを生成する。図１４は、コンテンツ集約情報１２４ａの内容の一例を示す図である。図１４に示す通り、コンテンツ集約情報１２４ａには、コンテンツ識別情報と、コンテンツ位置情報と、コンテンツを閲覧した一以上のユーザのユーザ識別情報と、ユーザ識別情報毎のユーザ位置情報とがコンテンツ毎に互いに対応付けられる情報である。
【００５７】
コンテンツ情報集約部１１３は、例えば、コンテンツ位置情報１２２ａに含まれる、あるコンテンツ識別情報に対して、コンテンツ識別情報に対応付けられているコンテンツ位置情報と、ユーザ毎のユーザ位置情報とを抽出する処理をそれぞれ実行する。コンテンツ情報集約部１１３は、コンテンツ識別情報に、抽出されたコンテンツ位置情報と、一以上のユーザ識別情報と、ユーザ識別情報毎のユーザ位置情報とを対応付けて、コンテンツ集約情報１２４ａを生成（更新）する処理をコンテンツ毎に行う。これにより、コンテンツ集約情報１２４では、あるユーザに対して１つのユーザ位置情報が対応付けられたのに対し、コンテンツ集約情報１２４ａは、有るユーザに対して一以上のユーザ位置情報が対応付け有れる。
【００５８】
ユーザ範囲導出部１１８は、コンテンツ集約情報１２４ａに基づいて、ユーザ範囲情報１２６を生成（更新）し、記憶部１２０ａに記憶させる。図１５は、ユーザ範囲情報１２６の内容の一例を示す図である。ユーザ範囲情報１２６には、コンテンツ識別情報と、コンテンツ位置情報と、当該コンテンツ識別情報のコンテンツを閲覧した一以上のユーザのユーザ識別情報と、当該ユーザの一以上のユーザ識別情報とが、コンテンツ毎に対応付けられた情報である。ユーザ範囲導出部１１８は、例えば、コンテンツ集約情報１２４ａを参照し、あるコンテンツを閲覧したユーザが、どの範囲に存在するかを導出する。
【００５９】
ユーザ範囲導出部１１８は、例えば、（手順１）ユーザ位置情報の位置に対応する行政区画（市区町村）を特定してユーザが存在する範囲（以下、ユーザ範囲）を導出する、（手順２）ユーザ位置情報の位置を頂点とする、ユーザ範囲を導出する、或いは（手順３）ユーザ位置情報から所定の距離までの範囲を示す円をユーザ位置情報毎に連ねた連結円の範囲を特定してユーザ範囲を導出する。以降の説明において、（手順１）によって導出されたユーザ範囲をユーザ範囲ＵＡＲ１と記載し、（手順２）によって導出されたユーザ範囲をユーザ範囲ＵＡＲ２と記載し、（手順３）によって導出されたユーザ範囲をユーザ範囲ＵＡＲ３と記載し、ユーザ範囲ＵＡＲ１、ユーザ範囲ＵＡＲ２、及びユーザ範囲ＵＡＲ３を互いに区別しない場合には、単にユーザ範囲ＵＡＲと記載する。
【００６０】
（手順１）
ユーザ範囲導出部１１８は、例えば、コンテンツ集約情報１２４ａに示される、あるコンテンツを閲覧したユーザのユーザ識別情報に対応付けられた一以上のユーザ位置情報の位置を特定し、特定した位置（座標）に対応する行政区画の範囲をユーザ範囲ＵＡＲ１として導出する。ユーザ範囲導出部１１８は、例えば、ユーザ位置情報の位置の統計値に基づいて、対応する行政区画の範囲を特定する。ユーザ範囲導出部１１８は、コンテンツ識別情報と、コンテンツ位置情報と、当該コンテンツを閲覧したユーザのユーザ識別情報と、導出したユーザ範囲ＵＡＲ１である行政区画を示す多角形の頂点の座標を互いに対応付けたレコードを、ユーザ範囲情報１２６のレコードとして生成（更新）する。
【００６１】
（手順２）
ユーザ範囲導出部１１８は、例えば、コンテンツ集約情報１２４ａに示される、あるコンテンツを閲覧したユーザのユーザ識別情報に対応付けられた一以上のユーザ位置情報の位置を特定し、特定した位置を互いに結ぶことによって示される図形の外形である多角形を、ユーザ範囲ＵＡＲ２として導出する。ユーザ範囲導出部１１８は、コンテンツ識別情報と、コンテンツ位置情報と、当該コンテンツを閲覧したユーザのユーザ識別情報と、導出した当該ユーザのユーザ範囲ＵＡＲ２である多角形の頂点のユーザ位置情報を互いに対応付けたレコードを、ユーザ範囲情報１２６のレコードとして生成（更新）する。
【００６２】
（手順３）
ユーザ範囲導出部１１８は、例えば、コンテンツ集約情報１２４ａに示される、あるコンテンツを閲覧したユーザのユーザ識別情報に対応付けられた一以上のユーザ位置情報の位置を特定し、特定した位置から所定の距離までの範囲（円）を、ユーザ位置情報の位置毎に導出する。ユーザ範囲導出部１１８は、導出した複数の円を連結した形状によって示される範囲をユーザ範囲ＵＡＲ３として導出する。ユーザ範囲導出部１１８は、コンテンツ識別情報と、コンテンツ位置情報と、当該コンテンツを閲覧したユーザのユーザ識別情報と、導出したユーザ範囲ＵＡＲ３を構成するユーザ位置情報とを互いに対応付けたレコードを、ユーザ範囲情報１２６のレコードとして生成（更新）する。
【００６３】
本実施形態の提供情報生成部１１６は、ユーザ範囲導出部１１８によって導出されたユーザ範囲ＵＡＲに基づいて、当該ユーザ範囲ＵＡＲの元データであるコンテンツと、ユーザ範囲ＵＡＲとを対応付けた情報を生成する。図１６は、第２実施形態におけるコンテンツと、ユーザ範囲ＵＡＲとを対応付けた情報の一例を示す図である。提供情報生成部１１６は、例えば、コンテンツと、ユーザ範囲ＵＡＲとを対応付けた情報として、ユーザ範囲画像ＩＭ１６を生成する。提供情報生成部１１６は、例えば、コンテンツ位置情報の位置を含み、且つユーザ範囲ＵＡＲの範囲が含まれる地図画像ＩＭｍｐ３に、コンテンツ位置画像ＩＭｃｔと、説明画像ＩＭｅｘと、ユーザ範囲ＵＡＲ１を示す第１ユーザ範囲画像ＩＭｕ１（図示する第１ユーザ範囲画像ＩＭｕ１−１〜ＩＭｕ１−３）と、ユーザ範囲ＵＡＲ２を示す第２ユーザ範囲画像ＩＭｕ２（図示する第２ユーザ範囲画像ＩＭｕ２−１〜ＩＭｕ２−２）と、ユーザ範囲ＵＡＲ３を示す第３ユーザ範囲画像ＩＭｕ３（図示する第３ユーザ範囲画像ＩＭｕ３−１〜ＩＭｕ３−２）とを、地図画像ＩＭｍｐ３が示す地図の対応する位置に重畳した画像を、ユーザ範囲画像ＩＭ１６として生成する。
【００６４】
［動作フロー］
図１７は、第２実施形態に係る情報提供装置１００ａの一連の動作の一例を示すフローチャートである。まず、取得部１１１は、情報収集装置５００からセッション情報ＳＣ２を取得する（Ｓ２００）。次に、コンテンツ位置情報取得部１１２は、取得部１１１によって取得されたセッション情報ＳＣ２に基づいて、セッション情報ＳＣ２に含まれるコンテンツ識別情報によって示されるコンテンツの位置情報を取得し、コンテンツ位置情報１２２ａを生成する（Ｓ２０２）。コンテンツ情報集約部１１３は、コンテンツ位置情報取得部１１２によって生成されたコンテンツ位置情報１２２ａに基づいて、コンテンツ識別情報と、コンテンツ位置情報と、ユーザ識別情報毎のユーザ位置情報とを、コンテンツ毎に対応付けたコンテンツ集約情報１２４ａを生成する（Ｓ２０４）。ユーザ距離算出部１１４、ユーザ方向導出部１１５、及び提供情報生成部１１６は、コンテンツ集約情報１２４ａに含まれるすべてのコンテンツに対して後述するステップＳ２０６〜Ｓ２０８の処理が実行されるまでの間、処理を繰り返す。
【００６５】
ユーザ範囲導出部１１８は、コンテンツ情報集約部１１３によって生成されたコンテンツ集約情報１２４ａに基づいて、処理対象のコンテンツについて、ユーザ範囲ＵＡＲを導出する（Ｓ２０６）。ユーザ範囲導出部１１８は、例えば、処理対象のコンテンツに対応付けられたユーザ識別情報毎のユーザ位置情報に対して、（手順１）〜（手順３）の全ての処理を行い、ユーザ範囲ＵＡＲ１〜ＵＡＲ３を取得してもよく、（手順１）〜（手順３）のうち、いずれかの処理を行い、ユーザ範囲ＵＡＲ１〜ＵＡＲ３のうち、対応するユーザ範囲ＵＡＲを取得してもよく、処理対象のコンテンツに対応付けられたユーザ識別情報毎のユーザ位置情報の特徴に応じて、（手順１）〜（手順３）のうち、適当な手順を選択してユーザ範囲ＵＡＲを取得してもよい。例えば、ユーザ範囲導出部１１８は、処理対象のコンテンツに多角形を形成できる程度のユーザ位置情報が対応付けられていなかった場合（ユーザがユーザ位置情報を取得した所定の期間において移動しなかった場合）等、（手順１）によってユーザ範囲ＵＡＲ１を導出してもよく、より厳密にユーザが存在した範囲を導出する場合、（手順３）によってユーザ範囲ＵＡＲ３を導出してもよい。
【００６６】
次に、提供情報生成部１１６は、ユーザ範囲導出部１１８によって導出されたユーザ範囲ＵＡＲに基づいて、ユーザ範囲画像ＩＭ１６を生成する（Ｓ２０８）。次に、提供部１１７は、提供情報生成部１１６によって生成されたユーザ範囲画像ＩＭ１６をコンテンツ提供者やサービス提供者に提供する（Ｓ２１０）。
【００６７】
なお、上述では、情報提供装置１００ａが、コンテンツ集約情報１２４ａに基づいて、ユーザ範囲画像ＩＭ１６のみを生成する場合について説明したが、これに限られない。情報提供装置１００ａは、例えば、コンテンツ集約情報１２４ａに基づいて、距離画像ＩＭ１０、方向画像ＩＭ１２、距離方向画像ＩＭ１４、及びユーザ範囲画像ＩＭ１６の全て、或いはいずれかを生成してもよい。また、情報提供装置１００ａは、距離画像ＩＭ１０を生成しない場合、ユーザ距離算出部１１４を備えていなくてもよく、方向画像ＩＭ１２を生成しない場合、ユーザ方向導出部１１５を備えていなくてもよい。
【００６８】
［第２実施形態のまとめ］
以上説明したように、本実施形態の情報提供装置１００ａによれば、ユーザ範囲画像ＩＭ１６をコンテンツ提供者やサービス提供者に提供することができる。ここで、範囲画像ＩＭａｒや、矢印画像ＩＭｒｒによって示される場所には、コンテンツを閲覧者（ユーザ）が存在する場所の他、土地の地理的な事由や、文化的な事由によってユーザが存在する場所と近い、或いは隣接する、親和性が低い場所が含まれてしまう場合がある。土地の地理的な事由や、文化的な事由は、例えば、山に囲まれており交通の便が悪い、県境に住んでおり、自県よりも他県の方が交通の便が良い（自県は交通の便が悪い）、高速道路が通っているので交通の便がいい、新幹線が通っているので、交通の便がいい等である。本実施形態の情報提供装置１００ａによれば、より精度よく閲覧者の位置の傾向を把握することができ、ユーザ範囲画像ＩＭ１６をコンテンツ作成の指針として用いることができる。
【００６９】
なお、上述では、提供情報生成部１１６が、距離画像ＩＭ１０、方向画像ＩＭ１２、距離方向画像ＩＭ１４、及びユーザ範囲画像ＩＭ１６のいずれかを生成するばあいについて説明したが、これに限られない。提供情報生成部１１６は、例えば、距離画像ＩＭ１０、方向画像ＩＭ１２、距離方向画像ＩＭ１４、及びユーザ範囲画像ＩＭ１６に含まれる画像を、全て、或いはいずれかを含む画像を生成してもよい。
【００７０】
以上、本発明を実施するための形態について実施形態を用いて説明したが、本発明はこうした実施形態に何ら限定されるものではなく、本発明の要旨を逸脱しない範囲内において種々の変形及び置換を加えることができる。
【符号の説明】
【００７１】
１…情報提供システム、１００…情報提供装置、１１０…制御部、１１１…取得部、１１２…コンテンツ位置情報取得部、１１３…コンテンツ情報集約部、１１４…ユーザ距離算出部、１１５…ユーザ方向導出部、１１６…提供情報生成部、１１７…提供部、１２０…記憶部、１２２…コンテンツ位置情報、１２４…コンテンツ集約情報、２００…コンテンツプロバイダ端末装置、３００…コンテンツ提供サーバ、４００…ユーザ端末装置、５００…情報収集装置、ＩＭ１０…距離画像、ＩＭ１２…方向画像、ＩＭ１４…距離方向画像、ＩＭａｒ…範囲画像、ＩＭａｒｐ…所定範囲画像、ＩＭｃｄ…結線画像、ＩＭｃｔ…コンテンツ位置画像、ＩＭｅｘ…説明画像、ＩＭｍｐ１、ＩＭｍｐ２…地図画像、ＩＭｐ…コンテンツ画像、ＩＭｒｒ…矢印画像、ＩＭｗ…コンテンツ提供画像、ＳＣ…セッション情報
【図１】
2020154752.tif 000003
【図２】
2020154752.tif 000004
【図３】
2020154752.tif 000005
【図４】
2020154752.tif 000006
【図５】
2020154752.tif 000007
【図６】
2020154752.tif 000008
【図７】
2020154752.tif 000009
【図８】
2020154752.tif 000010
【図９】
2020154752.tif 000011
【図１０】
2020154752.tif 000012
【図１１】
2020154752.tif 000013
【図１２】
2020154752.tif 000014
【図１３】
2020154752.tif 000015
【図１４】
2020154752.tif 000016
【図１５】
2020154752.tif 000017
【図１６】
2020154752.tif 000018
【図１７】
2020154752.tif 000019